(57)【要約】 【課題】  簡易な構造で、シャックル軸の緩みを確実に防止するとともに、ワイヤーを巻きまわす煩雑さも軽減し、吊り上げ作業等の中断もなくし、作業効率を向上させたシャックルを提供する。。 【解決手段】  開口側に貫通孔が形成されたシャックル本体１と、一方端に中空部が形成されたつまみ２ａを有するシャックル軸２とを備え、つまみ２ａでシャックル軸２を軸回転させて、シャックル本体１の貫通孔内側及びシャックル軸２外側のねじ山を螺合させて使用するシャックルにおいて、シャックル軸２のつまみ２ａと同方向のシャックル本体側面１ａに、シャックル軸つまみ２ａの中空部に連結させるための突起状の連結部３を形成した。この場合、突起状の連結部３を中空構造に形成すると、更に、ワイヤーが外れる懸念が無くなる。【選択図】  図１
0003228458.tif 000002
【実用新案登録請求の範囲】
【請求項１】
開口側に貫通孔が形成されたシャックル本体と、一方端に中空部が形成されたつまみを有するシャックル軸とを備え、前記シャックル軸のつまみで前記シャックル軸を軸回転させて、前記シャックル本体の貫通孔内側及び前記シャックル軸外側のねじ山を螺合させて使用するシャックルにおいて、前記シャックル軸のつまみと同方向の前記シャックル本体側面に、前記シャックル軸つまみの中空部に連結させるための突起状の連結部を形成したことを特徴とするシャックル。
【請求項２】
前記突起状の連結部を中空構造に形成したことを特徴とする請求項１に記載のシャックル。
【考案の詳細な説明】
【技術分野】
【０００１】
本考案は、ワイヤーロープなどによる重量物の昇降や移動作業において、ワイヤーロープなどを掛けて吊るすために使用され、或いは、ワイヤーロープ同士を結び付けるために使用されるシャックルに係り、特に、シャックル軸の緩みを簡易な構造で防止できるようにしたシャックルに関するものである。
【背景技術】
【０００２】
まず、従来のシャックルについて図２を用いて説明する。
図２は従来のシャックルの基本構成を説明するための概略構成図である。
一般に、シャックルは、図２に示すように、略U字状に形成されているシャックル本体１と、このシャックル本体１の開口側に設けた貫通孔に挿入するシャックル軸２を備えた構成である。
また、シャックル軸２の一方端には、シャックル軸２を軸回転させるための中空部を有するつまみ２ａが形成されている。
シャックルを使用する場合は、シャックル軸２をシャックル本体１の貫通孔に挿入し、つまみ２ａでシャックル２を軸回転させながら、シャックル軸２の外側に形成されたねじ山と、シャックル本体１の貫通孔の内側に形成されたねじ山を 螺合させ、シャックル本体１の開口側を閉じて、ワイヤーロープが外れないようにする。
【０００３】
ところで、従来のシャックルでは、シャックル本体１に螺合させていたシャックル軸２が徐々に緩んできて、シャックル軸２が外れて、ワイヤーロープ等が外れてしまうという危険な事態を防止するために、シャックル軸つまみ２ａの中空部にワイヤーを通して、シャックル本体１の、例えば、シャックル軸２の反対側の湾曲側に、ワイヤーを複数回巻きまわして、シャックル軸２とシャックル本体１を連結させて、シャックル軸２の軸回転を防ぐことで、シャックル軸の緩みを防止するようにしていた。
【０００４】
【特許文献１】登録実用新案第３２２４８０３号公報
【考案の開示】
【考案が解決しようとする課題】
【０００５】
ところで、従来のシャックルでは、シャックル軸つまみの中空部とシャックル本体の湾曲側にワイヤーを複数回巻きまわす方式であるために、作業中に、ワイヤーが緩んで、シャックル本体側から外れてしまい、再度ワイヤーの巻きまわしをやり直す必要があり、巻きまわす作業が煩雑であるという問題があった。
また、ワイヤーが外れるたびに、巻き直し作業をしなければならず、吊り上げ作業等が中断され、作業効率が悪いという問題があった。
【０００６】
本考案は、上記従来の問題を解決し、簡易な構造で、シャックル軸の緩みを確実に防止するとともに、ワイヤーを巻きまわす煩雑さを軽減し、吊り上げ作業等の中断もなくし、作業効率を大幅に向上させたシャックルを提供することを目的とする。
【課題を解決するための手段】
【０００７】
本考案のシャックルは、上記従来の問題を解決するために、請求項１に記載のものでは、開口側に貫通孔が形成されたシャックル本体と、一方端に中空部が形成されたつまみを有するシャックル軸とを備え、つまみでシャックル軸を軸回転させて、シャックル本体の貫通孔内側、及び、シャックル軸外側に形成されたねじ山を螺合させて使用するシャックルにおいて、シャックル軸のつまみと同方向のシャックル本体側面に、シャックル軸の中空部に連結させるための突起状の連結部を形成した。
【０００８】
請求項２記載のシャックルは、突起状の連結部では中空部を有する構造に形成した。
【考案の効果】
【０００９】
本考案のシャックルは、上記のように構成したために、以下のような優れた効果を有する。
（１）シャックル軸つまみの中空部と、シャックル本体のシャックル軸つまみ側の側面に形成された突起状の連結部とをワイヤー等で巻きまわすだけで、シャッフル軸をシャックル本体に確実に固定でき、シャックル軸の緩み防止のための作業の煩雑さが軽減される。
（２）また、シャックル軸つまみの中空部とシャックル本体の突起状の連結部にワイヤー等を巻きまわすので、ワイヤー等が作業中に外れる懸念が無く、吊り上げ作業等を中断する必要が無くなるので、吊り上げ作業の効率が大幅に向上する。
【００１０】
（３）請求項２に記載したように構成すると、シャックル軸のつまみの中空部と、シャックル本体側の連結部の中空部とがワイヤー等で連結され、ワイヤー等が作業中に外れてしまうという問題がなくなるので、吊り上げ作業等の作業効率を一層向上させることができる。
【図面の簡単な説明】
【００１１】
【図１】本考案のシャックルの基本構成を説明するための概略構成図である。
【図２】従来のシャックルの基本構成を説明するための概略構成図である。
【考案を実施するための形態】
【００１２】
先ず、本考案のシャックルの基本構成を図１を用いて説明する。
図１は、本考案のシャックルの基本構成を説明するための概略構成図である。
図１に示すように、本実施の形態のシャックルは、図２に示した従来のシャックル同様に、略U字状に形成されているシャックル本体１と、このシャックル本体１の開口側に設けた貫通孔に挿入するシャックル軸２を備えた構成である。
また、シャックル軸２の一方端には中空構造のつまみ２ａが形成されている。
一方、本実施の形態のシャッフルの構成上の特徴は、シャックル軸２のつまみ２ａと同方向のシャックル本体側面１ａに、シャックル軸２のつまみ２ａ中空部に連結させるための中空部を有する突起状の連結部３を形成したことである。
【００１３】
以上の構成で、本実施の形態のャックルの基本動作を、図１を用いて説明する。
本実施の形態のシャックルは、吊り上げ作業等に使用する場合は、従来のシャックル同様に、シャックル軸２をシャックル本体１の貫通孔に挿入し、つまみ２ａでシャックル軸２を軸回転させながら、シャックル軸２の外側に形成されたねじ山と、シャックル本体１の貫通孔の内側に形成されたねじ山を 螺合させ、シャックル本体１の開口側を閉じる。
【００１４】
一方、上述したように、従来のシャックルでは、シャックル軸２のつまみ２ａの中空部と、シャックル本体１の湾曲部とワイヤー等を複数回巻きまわして、シャックル軸２をシャックル本体１に連結固定させることで、シャックル軸２の緩みを防止していたが、本実施の形態のシャックルでは、シャックル軸２のつまみ２ａ中空部と、当該つまみ２ａと同方向のシャックル本体側面１ａに形成した連結部３の中空部分とをワイヤー等で複数回巻きまわして連結するので、従来よりワイヤーを巻きまわす作業の煩雑さが軽減されるとともに、ワイヤーが外れる恐れがほとんどなくなるので、ワイヤー等の巻き直し作業が無くなり、作業を中断する必要が無くなるので、吊り上げ作業の効率が大幅に向上する。
【００１５】
本願考案のシャックルの構成は、上記実施の形態には限定されない。上記実施の形態では、シャックル本体側面に形成された連結部は、中空状のもので説明したが、これを、中空部が無く、ワイヤーを外れにくくした突起状のものとしたものも、本願考案に含まれるのはもちろんのことである。
【符号の説明】
【００１６】
１            シャックル本体
１ａ          シャックル本体側面
２            シャックル軸
２ａ          シャックル軸つまみ
３            連結部
【図１】
0003228458.tif 000003
【図２】
0003228458.tif 000004